(57)【要約】      （修正有）【課題】製造工程も従来と略変わらず、開封後も見た目に体裁がよく、また、清潔に収納出来、安価に製造できる化粧コットン用包装袋を提供する。【解決手段】合成樹脂製フィルムを用い、該フィルムの両端部Ｙ，Ｙ′を接着して筒状体に形成し、筒状体のフィルム内に、化粧コットンを複数枚積層したブロック体Ｘを、１または複数個を列設した直方体状に形成して収納し、筒状体のフィルムの両端部Ｙ，Ｙ′を閉塞する化粧コットン用包装袋であって、フィルムの両端部Ｙ，Ｙ′を、適宜な幅寸法α程、重合・接着し、ベルト状の保持部を有する筒状体のフィルムに形成し、保持部を、直方体状に形成し収納する商品の稜線Ｒ上に来るよう配置し、化粧コットンを複数枚積層したブロック体Ｘを適宜の厚みに圧縮し、保持部の内側端部２ａ、或いは端部に沿って、ミシン目３を穿設する。【選択図】図３
0003194770.tif 000002
【実用新案登録請求の範囲】
【請求項１】
合成樹脂製フィルムを用い、該フィルムの両端部を接着して筒状体に形成し、
該筒状体のフィルム（１）内に、化粧用コットン（ａ）を複数枚積層したブロック体（Ｘ）を、１または複数個を列設した直方体状に形成して収納し、筒状体のフィルム（１）の両端部を閉塞する化粧コットン用包装袋であって、
前記フィルム（１）の両端部（Ｙ，Ｙ′）を、適宜な幅寸法（α）程、重合・接着し、ベルト状の保持部（２）を有する筒状体のフィルム（１）に形成し、
該保持部（２）を、前記直方体状に形成し収納する商品の稜線（Ｒ）上に来るよう配置し、
前記化粧用コットン（ａ）を複数枚積層したブロック体（Ｘ）を適宜の厚みに圧縮し、  前記保持部（２）の内側端部（２ａ）、或いは端部に沿って、ミシン目（３）を穿設した
ことを特徴とする化粧コットン用包装袋。
【考案の詳細な説明】
【技術分野】
【０００１】
この考案は、化粧コットン用包装袋に関するものであり、特に、化粧用コットンの取り出し口を設けるに際して、清潔で安価に形成できる化粧コットン用包装袋に関する。
【背景技術】
【０００２】
従来、化粧用コットン（化粧綿）は、所定の厚みを有した矩形状をしており、化粧の下地作りに使用したり、化粧を落としたりする際に拭き取り等に使用するものである。
【０００３】
この化粧用コットンは、一定の量を積み重ねて直方体状のブロック体とし、かつ、このブロック体を複数個を列設して合成樹脂製フィルムからなる包装袋に収納して販売されている。
【０００４】
そして、この袋に収納された化粧用コットンを使用する際には、袋を破り、この破った口より、一枚づつ取り出して使用するものであり、破られた口が汚く、見た目に体裁も悪く、破られた口より内部のコットンが露出しており、化粧用コットンに塵埃が付着して衛生的でなかった。
【０００５】
そのため、開口部を反復開閉可能な密封材としたり、樹脂製の雄雌ファスナーとしたりした構成の袋体はあった。例えば、特許文献１，２，３のように。
【先行技術文献】
【特許文献】
【０００６】
【特許文献１】特公平０３−４３３６１号公報
【特許文献２】特公平１０−１５７７６８号公報
【特許文献３】実公平０１−１５４１３９号公報
【０００７】
しかしながら、このような構成を有する包装袋は、袋素材以外の素材面でもコストがかかり、また、製造工程も複雑となり、製造コストも高くなるという欠点があった。
【考案の概要】
【考案が解決しようとする課題】
【０００８】
そこでこの考案は、化粧用コットン用包装袋が製造工程も従来と略変わらず、開封後も見た目に体裁がよく、また、清潔に収納出来、安価に製造できる化粧コットン用包装袋を開発・提供することにある。
【課題を解決するための手段】
【０００９】
この考案の化粧コットン用包装袋は、
合成樹脂製フィルムを用い、該フィルムの両端部を接着して筒状体に形成し、
該筒状体のフィルム内に、化粧用コットンを複数枚積層したブロック体を、１または複数個を列設した直方体状に形成して収納し、筒状体のフィルムの両端部を閉塞する化粧コットン用包装袋であって、
前記フィルムの両端部を、適宜な幅寸法程、重合・接着し、ベルト状の保持部を有する筒状体のフィルムに形成し、
該保持部を、前記直方体状に形成し収納する商品の稜線上に来るよう配置し、
前記化粧用コットンを複数枚積層したブロック体を適宜の厚みに圧縮し、
前記保持部の内側端部、或いは端部に沿って、ミシン目を穿設した
ことを特徴とする。
【考案の効果】
【００１０】
この考案によると、ミシン目（３）を破って開封後、内部の化粧コットンを取り出す取り出し口となり、該化粧コットンを取り出した後、化粧コットン用包装袋の保持部（２）は、該保持部の両端部を左右に引っ張ることにより雨ぶたとなり、ミシン目（３）の開口口を塞ぎ、内部の化粧コットン（ａ）を塵埃等から保護する効果を有する。
【００１１】
さらに、この考案によると、前記ミシン目（３）を通じて包装袋の内外に空気が通じているため、化粧コットンのブロック体（Ｘ）を、７０％程度に圧縮して包装しても復元力も問題なく、元のふっくらした肌触りの化粧コットン（ａ）となる等の効果を有する。
【図面の簡単な説明】
【００１２】
【図１】この考案の一実施例を示す一部欠截正面図である。
【図２】この考案の一実施例を示す側面図である。
【図３】この考案の一実施例を示し、ベルト状保持部を上方に捲くった状態の正面図である。
【図４】この考案の一実施例を示す要部拡大断面図である。
【考案を実施するための形態】
【００１３】
この考案を実施するための形態は、化粧コットン用を収納する合成樹脂製フィルムで構成した包装袋に保持部を設け、該保持部の内側端部にミシン目を設け、該ミシン目を破り開口部とするものである。
【実施例】
【００１４】
次に、この考案の一実施例を図面に基づいて説明すると、合成樹脂製フィルムを用い、該フィルムの両端部を接着して筒状体に形成し、該筒状体のフィルム（１）内に、化粧用コットン（ａ）を複数枚積層したブロック体（Ｘ）を、１または複数個を列設した直方体状に形成して収納し、筒状体のフィルム（１）の両端部を閉塞する化粧コットン用包装袋であって、前記フィルム（１）の両端部（Ｙ，Ｙ′）を、適宜な幅寸法（α）程、重合・接着し、ベルト状の保持部（２）を有する筒状体のフィルム（１）に形成し、該保持部（２）を、前記直方体状に形成し収納する商品の稜線（Ｒ）上に来るよう配置し、前記化粧用コットン（ａ）を複数枚積層したブロック体（Ｘ）を適宜の厚みに圧縮し、前記保持部（２）の内側端部（２ａ）、或いは端部に沿って、ミシン目（３）を穿設したことを特徴とする化粧コットン用包装袋から構成される。
【００１５】
さらに、前記積層した化粧コットンのブロック体（Ｘ）の圧縮率が、７０％程度であるが、この程度の圧縮では包装袋を開口した際にも、化粧コットンのブロック体（Ｘ）は復元力で元に復帰するものである。
【産業上の利用可能性】
【００１６】
この考案の、化粧コットン用包装袋の技術を確立し、実施・販売することにより、産業上の利用可能性を有するものである。
【符号の説明】
【００１７】
１  フィルム
２  ベルト状の保持部
２ａ  内側端部
３  ミシン目
ａ  化粧用コットン
α  幅寸法
Ｒ  稜線
Ｘ  ブロック体
Ｙ，Ｙ′両端部
【図１】
0003194770.tif 000003
【図２】
0003194770.tif 000004
【図３】
0003194770.tif 000005
【図４】
0003194770.tif 000006